(57)【特許請求の範囲】
【請求項１】
水冷式の内燃機関(30)を搭載する鞍乗型車両(１)において、
ラジエータ(４)が、リヤフェンダ(18)の前部に対向して同リヤフェンダ(18)に沿って後傾するように配置され、
冷却ファン(６)が、前記ラジエータ(４)の前方において前傾して配置されたことを特徴とする鞍乗型車両のラジエータ配置構造。
【請求項２】
側面視で、メインフレーム(21)と前記リヤフェンダ(18)とがなすＶ字形の領域(19)内に、前記冷却ファン(６)と前記ラジエータ(４)とが上方になるにつれ互いに離間するように収められて配置されたことを特徴とする請求項１に記載の鞍乗型車両のラジエータ配置構造。
【請求項３】
運転者シート(17Ａ)の直下に前記ラジエータ(４)が配置されたことを特徴とする請求項２に記載の鞍乗型車両のラジエータ配置構造。
【請求項４】
運転者シート(17Ａ)の直下に前記冷却ファン(６)が配置され、車体カバー(10)で覆われたことを特徴とする請求項２または請求項３に記載の鞍乗型車両のラジエータ配置構造。
【請求項５】
前記冷却ファン(６)を囲うファンシュラウド(60)の開口面(60ａ)が前傾されたことを特徴とする請求項４に記載の鞍乗型車両のラジエータ配置構造。
【請求項６】
前記ラジエータ(４)の一部を、側面視でシートレール(23)より上に突出させたことを特徴とする請求項３ないし請求項５のいずれか一項に記載の鞍乗型車両のラジエータ配置構造。
【発明の詳細な説明】
【技術分野】
【０００１】
本発明は、鞍乗型車両のラジエータ配置構造に関する。
【背景技術】
【０００２】
鞍乗り型車両において、ラジエータを運転者シート下方であってリヤフェンダの上方に配置するにものが、例えば下記特許文献１に示されている。
しかしながら、下記特許文献１に示されるものにおいては、側面視でリヤフェンダに対してラジエータが直交するように配置されているため運転者シート下に比較的大きな配置スペースが必要になり、シート高が高くなるという課題があった。
また、ラジエータの後方に並んで冷却ファンが配置されるため、ラジエータコアの有効面積が低くなり、また後輪からの飛散物等外部からの異物から冷却ファンを保護するために、更に排出ダクトが大型化するという課題があった。
【先行技術文献】
【特許文献】
【０００３】
【特許文献１】特開２００９−００１２６４号公報（図１、図２）
【発明の概要】
【発明が解決しようとする課題】
【０００４】
本発明は、上記従来技術に鑑み、設置スペースがコンパクトでシート高を抑制でき、冷却性能を向上させることができる鞍乗型車両のラジエータ配置構造を提供することを課題とする。
【課題を解決するための手段】
【０００５】
本発明は、上記従来技術に鑑みてなされたものであり、水冷式の内燃機関を搭載する鞍乗型車両において、ラジエータが、リヤフェンダの前部に対向して同リヤフェンダに沿って後傾するように配置され、冷却ファンが、前記ラジエータの前方において前傾して配置されたことを特徴とする鞍乗型車両のラジエータ配置構造である。
【０００６】
請求項２に記載の発明は、請求項１に記載の鞍乗型車両のラジエータ配置構造において、側面視で、メインフレームと前記リヤフェンダとがなすＶ字形の領域内に、前記冷却ファンと前記ラジエータとが上方になるにつれ互いに離間するように収められて配置されたことを特徴とする。
【０００７】
請求項３に記載の発明は、請求項２に記載の鞍乗型車両のラジエータ配置構造において、運転者シートの直下に前記ラジエータが配置されたことを特徴とする。
【０００８】
請求項４に記載の発明は、請求項２または請求項３に記載の鞍乗型車両のラジエータ配置構造において、運転者シートの直下に前記冷却ファンが配置され、車体カバーで覆われたことを特徴とする。
【０００９】
請求項５に記載の発明は、請求項４に記載の鞍乗型車両のラジエータ配置構造において、前記冷却ファンを囲うファンシュラウドの開口面が前傾されたことを特徴とする。
【００１０】
請求項６に記載の発明は、請求項３ないし請求項４のいずれか一項に記載の鞍乗型車両のラジエータ配置構造において、前記ラジエータの一部を、側面視でシートレールより上に突出させたことを特徴とする。
【発明の効果】
【００１１】
請求項１に記載の発明の鞍乗型車両のラジエータ配置構造によれば、ラジエータがリヤフェンダの前部に沿って後傾し、冷却ファンがラジエータの前方において前傾するように配置されたので、冷却ファンとラジエータが互いに上方になるに従って離間するように配置される。
これにより、ラジエータと冷却ファンの高さ方向が抑えられて、コンパクトにレイアウトされることができ、更にラジエータに対して冷却ファンが斜めに配置されたことにより、ラジエータコア全体に冷却風が当たりやすくなり、冷却性能を向上させることができる。
また、冷却ファンがラジエータの前方に配置されるので、後輪より前方に距離が取れるため、ラジエータの後方に配置されるよりも外部からの異物が冷却ファンに侵入しにくい位置とすることができる。
【００１２】
請求項２の発明によれば、請求項１の発明の効果に加え、Ｖ字型の領域の上方には運転者シートが配置されており、その下方空間は上方になるにつれ互いに離間する配置が納めやすいため、運転者シートの下方にコンパクトに冷却ファンおよびラジエータを配置できる。
【００１３】
請求項３の発明によれば、請求項２の発明の効果に加え、リヤフェンダに沿ってラジエータを後傾させているので、ラジエータの上下配置高さを抑えられるため、ラジエータのシートレール側への突出が抑制され、運転者シート高を低くすることができる。
【００１４】
請求項４の発明によれば、請求項２または請求項３の発明の効果に加え、冷却ファンが、運転者シート下の車体カバーで覆われやすい空間に配置され、外部から視認し難くでき、冷却ファンの保護と車両の美観形成に寄与する。
【００１５】
請求項５の発明によれば、請求項４の発明の効果に加え、運転者シートを外した際に、ファンシュラウドの開口面が前傾されているので、ファンシュラウド開口面への外部からの異物を浸入しにくくでき、また、ファンシュラウド底面から異物が排出されやすくなる。
【００１６】
請求項６の発明によれば、請求項３ないし請求項５のいずれか一項の発明の効果に加え、ラジエータを後傾させて運転者シート高を抑えつつも、ラジエータコアをシートフレーム間にも及ばせて、ラジエータコアの冷却面積を増すことができる。
【図面の簡単な説明】
【００１７】
【図１】本発明の一実施形態に係る鞍乗型車両のラジエータ配置構造を有する自動二輪車の要部左側面図である。
【図２】図１中の自動二輪車の後半部の拡大図である。
【図３】図１中の自動二輪車の左上部前方から見た後半部の斜視図である。
【発明を実施するための形態】
【００１８】
図１から図３に基づき、本発明の一実施形態に係る鞍乗型車両のラジエータ配置構造につき説明する。
特許請求の範囲および本明細書の説明における前後左右上下等の向きは、本実施形態の鞍乗型車両のラジエータ配置構造を備えた車両の向きに従うものとする。本実施形態において車両は鞍乗型車両であり、具体的には自動二輪車である。
図中矢印ＦＲは車両前方を、ＬＨは車両左方を、ＲＨは車両右方を、ＵＰは車両上方を、それぞれ示す。
【００１９】
図１は、本発明の一実施形態に係る鞍乗型車両のラジエータ配置構造を有する自動二輪車の要部左側面図である。
図１において、自動二輪車（本発明における「鞍乗型車両」）１は、車体カバー10が二点鎖線で簡略に一部省略して示されるほか、車両前部、パワーユニット３等は二点鎖線で簡略図示され、車両後部の要部のみが示される。
図１に示されるように、自動二輪車１の車体フレーム２は、車体前上方から後下方に延びるメインフレーム21を備えており、メインフレーム21の前端に設けたヘッドパイプ20に、下端に前輪11を軸支し、上端にバーハンドル12を固定したフロントフォーク13が操向可能に支持される。
【００２０】
メインフレーム21の下方空間には、後輪14を駆動するパワーユニット３が配置されており、パワーユニット３は、複数のハンガ部材21ａを介してメインフレーム21に搭載される。
また、後端に後輪14を軸支したスイングアーム15の前端が、メインフレーム21の後端側にピボット軸22を介して上下揺動自在に枢支される。パワーユニット３は水冷式の内燃機関30と変速機35を備えており、その出力軸は、スイングアーム15に沿って取り付けられた図示しないドライブシャフトを介して後輪14に接続し、回転動力を後輪14に伝達する。
【００２１】
メインフレーム21は平面視で後方側が左右に拡開する左右の一対に構成されており、左右のメインフレーム21の上に跨って燃料タンク16が支持されるとともに、左右のメインフレーム21の後端上部からそれぞれ後ろ上がりに延びる左右のシートレール23と、左右のメインフレーム21の後端下部と左右のシートレール23の後部寄りの間をそれぞれ結ぶバックステイ24とを備え、シートレール23上には、運転者シート17Ａと同乗者シート17Ｂが取付けられる。なお、図１中仮想線Ａは、運転者シート17Ａの前後方向の範囲と長さを示す。
左右の各部材は、図３に示されるように連結部材で連結され、シートレール23の前部とバックステイ24との間には補強フレーム25が設けられる。
メインフレーム21の後端上部とスイングアーム15の間には図示しないリヤクッションユニットが設けられる。
【００２２】
運転者シート17Ａおよび同乗者シート17Ｂの後部下方で後輪14の上方には、シートレール23の後部とバックステイ24を覆うようにして車体カバー10の後部カバー10ａが設けられ、運転者シート17Ａの前部下方には、シートレール23の前部とその下方を覆うようにして車体カバー10のサイドカバー10ｂが設けられている。
一方、スイングアーム15には後輪14の上面を覆うようにリヤフェンダ18が取付けられており、リヤフェンダ18は後輪14と共に上下揺動する。
【００２３】
本実施形態の自動二輪車１において、メインフレーム21は、図２中仮想線Ｂのように後下がりに配向され、その後方において、リヤフェンダ18の前部が、図２中仮想線Ｅのように後上がりに配向されており、それらが側面視で仮想線Ｂ、Ｅがなすように、Ｖ字形をなしている。
その側面視Ｖ字形の空間に、内燃機関30を冷却するためのラジエータ４と冷却ファン６が設けられる。
【００２４】
図２に示されるように、ラジエータ４は、リヤフェンダ18の前部に対向してリヤフェンダ18に沿って、図２中仮想線Ｄのように後傾して配置され、シートレール23と補強フレーム25に取付けられたラジエータ取付けステー26によって車体フレーム２に取付けられる（図３参照）。
図２中に冷却ファン６が模式的に鎖線で示されるように、ラジエータ４の前方においては冷却ファン６が、図２中仮想線Ｃのように前傾して配置され、冷却ファン６を囲むファンシュラウド60が、ファン取付けステー27にファン取付けボルト60ｃによって車体フレーム２に取付けられる（図３参照）。
ファンシュラウド60とラジエータ４との間は、導風ダクト61で繋がれ、冷却風が確実にラジエータ４に送り込まれるようになっている。
【００２５】
内燃機関30の冷却水を冷却するラジエータ４は、アッパータンク41と、ロアータンク42と、アッパータンク41およびロアータンク42の間に形成される長方形のラジエータコア40とを備えており、ラジエータコア40はアッパータンク41およびロアータンク42間を接続する図示しない多数の偏平な冷却水チューブと、隣接する冷却水チューブ間を接続する図示しない多数の波形の冷却フィンとを備える。ロアータンク42に設けた冷却水供給口44はラジエータロアーホース46を介して内燃機関30に接続され、アッパータンク41に設けた冷却水排出口43はラジエータアッパーホース45を介して内燃機関30に接続される。なお、図中47は、排水口である。
冷却ファン６はファンシュラウド60の中央に支持した図示しないモータで回転し、冷却ファン６によって吸引されて送出された空気がラジエータ４を前面側から背面側に通過する際に、冷却フィンに接触して熱交換を行う。
【００２６】
図２に示されるように、ラジエータ４が、仮想線Ｄのようにリヤフェンダ18の前部に沿って後傾し、冷却ファン６がラジエータ４の前方において、仮想線Ｃのように前傾するように配置されたので、冷却ファン６とラジエータ４が互いに上方になるに従って離間するように配置される。
したがって、ラジエータ４と冷却ファン６の高さ方向が抑えられて、コンパクトにレイアウトされている。
【００２７】
また、図２中一点鎖線で示す冷却ファン６の中心線Ｘが、前側が下がるように傾斜し、さらにラジエータ４の面に対して斜めに交差しているように、冷却ファン６が前傾し且つ冷却ファン６がラジエータ４に対して斜めに配置されたので、ラジエータコア40に冷却風が斜めに当たり、有効な冷却風速度で当たる領域が上下に拡大し、ラジエータコア40全体に冷却風が当たりやすくなるため、冷却性能を向上させることができる。
したがって、ラジエータ４のラジエータコア40の上下方向寸法が左右方向寸法よりも大きい縦長形状に形成し、ラジエータ４の左右方向寸法を抑制して、これにより車幅の減少に寄与することができる。
【００２８】
また、冷却ファン６は、ラジエータ４の前方に配置されているので、後輪14より前方に距離が取れるため、ラジエータ４の後方に配置されるよりも、後輪14からの飛散物等の外部からの異物が冷却ファン６に侵入しにくい位置とすることができる。
【００２９】
また、側面視で、図２中仮想線ＢとＥが示すようにメインフレーム21とリヤフェンダ18とがなすＶ字形の領域19内に、冷却ファン６とラジエータ４とが上方になるにつれ互いに離間するように収められて配置されている。Ｖ字型の領域19の上方には運転者シート17Ａが配置されており、運転者シート17Ａの下方、図１中の前後方向Ａの長さの空間は上方になるにつれ互いに離間する配置が納めやすいため、運転者シート17Ａの下方にコンパクトに冷却ファン６およびラジエータ４を配置できるものとなっている。
【００３０】
特に、本実施形態では、運転者シート17Ａの直下、図１中前後方向Ａの長さの範囲にラジエータ４が配置されているが、ラジエータ４はリヤフェンダ18に沿って後傾されているので、ラジエータ４の上下配置高さを抑えることができるため、ラジエータ4のシートレール23側への突出が抑制され、運転者シート17Ａの高さを低くすることが可能となっている。
【００３１】
また、運転者シート17Ａの直下、図１中前後方向Ａの長さの範囲に冷却ファン６が配置されるが、冷却ファン６はファンシュラウド60、導風ダクト61ともども車体カバー10のサイドカバー10ｂで覆われている。
冷却ファン６が、運転者シート17Ａ下の車体カバー10で覆われやすい空間に配置されたので、冷却ファン６を外部から視認し難くでき、冷却ファン６の保護と車両の美観形成に寄与している。
【００３２】
そして、図２に一点鎖線で示す冷却ファン６の中心線Ｘが示すように、冷却ファン６を囲うファンシュラウド60の開口面60ａが前傾されているので、メンテナンス等で運転者シート17Ａを外した際に、ファンシュラウド60の開口面60ａへの外部からの異物を浸入しにくくでき、また、ファンシュラウド60の底面60ｂから異物が排出されやすくなっている（図３参照）。
なお、ファンシュラウド60とラジエータ４を繋ぐ導風ダクト61においても底部に開口を設けることで、侵入した異物が排出されやすくすることができる。
【００３３】
また、図２、図３に示されるように、本実施形態においては、ラジエータ４の一部、ここではアッパータンク41の一部が、側面視でシートレール23より上方へ突出している。
このことにより、前述のようにラジエータ６を後傾させて運転者シート高を抑えつつも、ラジエータコア40をシートレール23間にも及ばせて、ラジエータコア40の冷却面積を増すことができ、ラジエータ４の冷却能力が向上している。
【００３４】
以上、本発明に係る一実施形態の鞍乗型車両のラジエータ配置構造につき説明したが、本発明の態様が上記実施形態に限定されず、本発明の要旨の範囲で、多様な態様で実施されるものを含むことは勿論である。
例えば、本発明の鞍乗型車両は、実施形態の自動二輪車に限らず３輪バギー等の小型車両も含まれる。また、水冷式の内燃機関は、特定の形式、気筒数に限定されない。
【符号の説明】
【００３５】
１…自動二輪車（本発明における「鞍乗型車両」）、２…車体フレーム、３…パワーユニット、４…ラジエータ、６…冷却ファン、10…車体カバー、10ａ…後部カバー、10ｂ…サイドカバー、14…後輪、15…スイングアーム、16…燃料タンク、17Ａ…運転者シート、17Ｂ…同乗者シート、18…リヤフェンダ、19…領域、20…ヘッドパイプ、21…メインフレーム、23…シートレール、24…バックステイ、25…補強フレーム、26…ラジエータ取付けステー、27…ファン取付けステー、30…内燃機関、35…変速機、40…ラジエータコア、41…アッパータンク、42…ロアータンク、60…ファンシュラウド、60ａ…開口面、60ｂ…底面、60ｃ…ファン取付けボルト、61…導風ダクト、Ｘ…冷却ファン６の中心線
【図１】
0006034430.tif 000002
【図２】
0006034430.tif 000003
【図３】
0006034430.tif 000004